(57)【要約】【課題】良好に排水を流下することができるヘアキャッチャーを提供する。【解決手段】ヘアキャッチャー１０は、複数の通水孔１０Ａが設けられ、通水孔１０Ａの内側面の少なくとも一部が親水性を有している。親水性とは水となじみ易い性質である。【選択図】図１
2019167673.tif 000002
【特許請求の範囲】
【請求項１】
複数の通水孔が設けられ、
前記通水孔の内側面の少なくとも一部が親水性を有していることを特徴とするヘアキャッチャー。
【請求項２】
流入側面が撥水性を有していることを特徴とする請求項１に記載のヘアキャッチャー。
【請求項３】
前記通水孔の流入口の外周縁部が親水性を有していることを特徴とする請求項１又は２に記載のヘアキャッチャー。
【請求項４】
親水性を有する材料で形成されていることを特徴とする請求項２に記載のヘアキャッチャー。
【発明の詳細な説明】
【技術分野】
【０００１】
本発明はヘアキャッチャーに関する。
【背景技術】
【０００２】
特許文献１は従来のヘアキャッチャーを開示している。このヘアキャッチャーは排水部に複数の通水孔が設けられている。このヘアキャッチャーは排水部の表面の水接触角を９０度以上にしている。すなわち、このヘアキャッチャーの排水部の表面は水をはじく性質を有している。これにより、このヘアキャッチャーは水分を含んだ毛髪やごみが排水部に付着し難くなるため、水分を含んだ毛髪やごみを排水部から取り除き易い。
【先行技術文献】
【特許文献】
【０００３】
【特許文献１】特開２００９−３０３３３号公報
【発明の概要】
【発明が解決しようとする課題】
【０００４】
しかし、特許文献１のヘアキャッチャーは、排水部の表面が水をはじく性質を有しているため、排水部の排水は表面張力によって水滴を形成し易く、水滴を形成した排水が通水孔を塞いでしまい、これにより、排水部から良好に排水を流下させることができないおそれがある。
【０００５】
本発明は、上記従来の実情に鑑みてなされたものであって、良好に排水を流下することができるヘアキャッチャーを提供することを解決すべき課題としている。
【課題を解決するための手段】
【０００６】
本発明のヘアキャッチャーは、
複数の通水孔が設けられ、
前記通水孔の内側面の少なくとも一部が親水性を有していることを特徴とするヘアキャッチャー。
【０００７】
このヘアキャッチャーは通水孔の内側面が親水性を有しているため、流入側面の排水が通水孔の内側面の親水性を有する部分に触れると、流入側面の排水が通水孔の親水性を有する部分に引き込まれる。これにより、流入側面の排水を良好に流下させることができる。親水性とは、水となじみ易い性質である。
【０００８】
したがって、本発明のヘアキャッチャーは良好に排水を流下することができる。
【図面の簡単な説明】
【０００９】
【図１】実施例１のヘアキャッチャーを排水路内に配置した状態を示す断面図である。
【図２】図１における矢示Ａ−Ａ断面図である。
【図３】図２における矢示Ｂ−Ｂ断面図である。
【図４】図２における矢示Ｂ−Ｂ断面図において、（Ａ）は流入側面の撥水層の露出した面に付着した排水が水滴を形成した状態を拡大して示し、（Ｂ）は水滴を形成した排水が通水孔の外周縁部、及び内側面に引き込まれた状態を拡大して示す。
【発明を実施するための形態】
【００１０】
本発明における好ましい実施の形態を説明する。
【００１１】
本発明のヘアキャッチャーは、流入側面が撥水性を有し得る。この場合、流入側面の排水は表面張力によって水滴を形成し易くなるため、流入側面の排水を通水孔に、より導き易くすることができる。
【００１２】
本発明のヘアキャッチャーは、通水孔の流入口の外周縁部が親水性を有し得る。この場合、外周縁部に接触した排水を通水孔に、より導き易くすることができる。
【００１３】
本発明のヘアキャッチャーは、親水性を有する材料で形成され得る。通水孔の内側面に後加工で親水性を付与することは、流入側面に後加工で撥水性を付与することより難しい。このため、親水性を有する材料でヘアキャッチャーを形成することによって、通水孔の内側面に予め親水性を付与し、流入側面に後加工で撥水性を付与することができるため製造し易い。
【００１４】
次に、本発明の排水栓を具体化した実施例１について、図面を参照しつつ説明する。
【００１５】
＜実施例１＞
実施例１のヘアキャッチャー１０は、図１、２に示すように、洗面器１の排水口３に連通して連結した排水路７内に配置される。
洗面器１の排水口３は、洗面器１の上方から見た平面視において、円形状をなして開口しており、洗面器１の底面１Ａから内側下方（上下は、図１における上側、下側である。）に向けて曲面で形成され、下方に向かって徐々に縮径し、下端部で内側に突出した縁部５を形成している。
洗面器１の排水口３の下端部の縁部５には、下方に延びた円筒状の排水路７が連通して連結している。また、排水路７の上端部は下側より内径が大きく形成されており、内径が大きく形成された部分の下端には段部７Ａが形成されている。
【００１６】
ヘアキャッチャー１０は、図２、３に示すように、ヘアキャッチャー本体１０Ｅ、及び撥水層１０Ｂを備えている。
ヘアキャッチャー本体１０Ｅは、例えば、酸化チタン（ＴｉＯ2）や酸化ケイ素（ＳｉＯ2）等の親水性を有する材料で形成されている。親水性とは、水となじみ易い性質である。ヘアキャッチャー本体１０Ｅはほぼ椀状をなしている（図１、３参照。）。
また、ヘアキャッチャー本体１０Ｅには、複数の通水孔１０Ａが形成されている。複数の通水孔１０Ａは、ヘアキャッチャー本体１０Ｅにおいて、窪んで湾曲した側の面（内側の面）から、この面と反対側の面（外側の面）に向けて貫通して形成されている。ヘアキャッチャー本体１０Ｅの内側の面には各通水孔１０Ａの流入口Ｅ１が位置し、ヘアキャッチャー本体１０Ｅの外側の面には各通水孔１０Ａの流出口Ｅ２が位置する。
【００１７】
撥水層１０Ｂは、例えば、フッ素樹脂等の撥水性を有する材料で形成されている。撥水性とは、水をはじく性質である。撥水層１０Ｂはヘアキャッチャー本体１０Ｅの内側の面を覆うように設けられている。また、撥水層１０Ｂは各通水孔１０Ａの流入口Ｅ１の外周縁から所定の寸法離れた位置までの領域（以降、外周縁部１０Ｃともいう）を覆っていない。つまり、通水孔１０Ａの流入口Ｅ１の外周縁部１０Ｃは、親水性を有したヘアキャッチャー本体１０Ｅの内側の面が露出している。また、通水孔１０Ａの親水性を有した内側面も撥水層１０Ｂに覆われておらず、露出している。
撥水層１０Ｂは、例えば、二色成形を行ったり、撥水性を有する材料を含有した薬材をヘアキャッチャー本体１０Ｅの内側の面に塗布したりすることによって、ヘアキャッチャー本体１０Ｅの内側の面に設ける。
【００１８】
外周縁部１０Ｃの露出した面（すなわち、撥水層１０Ｂに覆われていないヘアキャッチャー本体１０Ｅの内側の面）、及び撥水層１０Ｂの露出した面は流入側面Ｓ１である（図３参照。）。つまり、流入側面Ｓ１は撥水性を有している。また、ヘアキャッチャー本体１０Ｅの外側の面は流出側面Ｓ２である（図３参照。）。
【００１９】
また、ヘアキャッチャー本体１０Ｅの外周縁には、ヘアキャッチャー本体１０Ｅの中心から放射方向に突出する複数の突起部１０Ｄが設けられている。ヘアキャッチャー１０は、排水路７の段部７Ａにこれら突起部１０Ｄを係止して排水路７内に配置される。
【００２０】
次に、ヘアキャッチャー１０における作用を説明する。
図４（Ａ）に示すように、ヘアキャッチャー１０の撥水層１０Ｂの露出した面に位置する排水は、撥水層１０Ｂが有する撥水性によって水滴Ｄを形成する。
そして、水滴Ｄが撥水層１０Ｂの露出した面をより低い方に移動して、通水孔１０Ａの外周縁部１０Ｃの露出した面に接触する。外周縁部１０Ｃは親水性を有しているため、図４（Ｂ）に示すように、水滴Ｄが外周縁部１０Ｃに引き寄せられる。また、通水孔１０Ａの内側面も親水性を有しているため、外周縁部１０Ｃに引き寄せられた水滴Ｄは、流入口Ｅ１を通り通水孔１０Ａに引き込まれ、通水孔１０Ａを介して流出口Ｅ２から流下する。
【００２１】
このように、ヘアキャッチャー１０は通水孔１０Ａの内側面が親水性を有しているため、流入側面Ｓ１の排水が通水孔１０Ａの内側面の親水性を有する部分に触れると、流入側面Ｓ１の排水が通水孔１０Ａの親水性を有する部分に引き込まれる。これにより、流入側面Ｓ１の排水を良好に流下させることができる。
【００２２】
したがって、本発明のヘアキャッチャー１０は良好に排水を流下することができる。
【００２３】
また、ヘアキャッチャー１０は、流入側面Ｓ１が撥水性を有している。このため、流入側面Ｓ１の排水は表面張力によって水滴Ｄを形成し易くなるため、流入側面Ｓ１の排水を通水孔１０Ａに、より導き易くすることができる。
【００２４】
また、ヘアキャッチャー１０は、通水孔１０Ａの流入口Ｅ１の外周縁部１０Ｃが親水性を有している。このため、外周縁部１０Ｃに接触した排水を通水孔１０Ａに、より導き易くすることができる。
【００２５】
また、ヘアキャッチャー１０は、親水性を有する材料で形成されている。通水孔１０Ａの内側面に後加工で親水性を付与することは、流入側面Ｓ１に後加工で撥水性を付与することより難しい。このため、親水性を有する材料でヘアキャッチャー１０を形成することによって、通水孔１０Ａの内側面に予め親水性を付与し、流入側面Ｓ１に後加工で撥水性を付与することができるため製造し易い。
【００２６】
本発明は上記記述及び図面によって説明した実施例に限定されるものではなく、例えば次のような実施例も本発明の技術的範囲に含まれる。
（１）実施例１では、ほぼ椀状をなしているが、平板状や円筒形状等の他の形状であってもよい。
（２）実施例１では、洗面器に連通した排水路に設けられているが、浴槽や浴室等の排水路に配置してもよい。
（３）実施例１では、撥水層に撥水性を有する材料を用いているが、流入側面の全体にわたって、例えば、シボ加工などによって微細な凸形状を設けてもよい。これによっても流入側面に撥水性を付与することができる。
（４）実施例１では、通水孔の内側面の全体が親水性を有しているが、通水孔の内側面の一部が親水性を有してもよい。
（５）実施例１では、ヘアキャッチャー本体が親水性を有する材料で形成されているが、撥水性を有する材料でヘアキャッチャー本体を形成し、後加工で通水孔の内側面に親水性を付与してもよい。
（６）実施例１では、ヘアキャッチャー本体の内側の面に撥水層を設けているが、ヘアキャッチャー本体の外側の面に撥水層を設けてもよい。
【符号の説明】
【００２７】
１０…ヘアキャッチャー
１０Ａ…通水孔
１０Ｃ…外周縁部
Ｅ１…流入口
Ｓ１…流入側面
【図１】
2019167673.tif 000003
【図２】
2019167673.tif 000004
【図３】
2019167673.tif 000005
【図４】
2019167673.tif 000006